(57)【特許請求の範囲】
【請求項１】
排ガスを導入して該排ガスに吸収液を噴霧することにより排ガス中の硫黄酸化物を吸収除去する吸収塔の上端に截頭円錐形部を形成し、外方端が広がり部となった排ガス出口ダクトを前記截頭円錐形部の側面に設け、前記排ガス出口ダクトの広がり部に、前記截頭円錐形部から外方端に向かう排ガスを横切る断面方向に吸収液捕集素子を並設した第１段エリミネータと、吸収液捕集素子を前記第１段エリミネータよりも密に並設した第２段エリミネータとを取り付けたことを特徴とする排煙脱硫装置。
【請求項２】
前記吸収塔の截頭円錐形部の側面に、第１段エリミネータと第２段エリミネータを有する複数の排ガス出口ダクトを設けたことを特徴とする請求項１の排煙脱硫装置。
【発明の詳細な説明】
【０００１】
【産業上の利用分野】
本発明は、排ガス中に含まれている硫黄酸化物を除去する排煙脱硫装置に関するものである。
【０００２】
【従来の技術】
従来から使用されている排煙脱硫装置の一例を図４の縦断面図によって説明すると、吸収塔１の底部には吸収液２が溜められていて、モーター３で回転する攪拌羽根４によって攪拌されるようになっている。そして吸収液２は吸引ポンプ５によって吸引されて、吸収塔１内の上部に複数段にわたって設けてある吸収液噴霧管６に送られ、吸収液噴霧管６に穿設されている多数の細孔７から吸収塔１の内部に噴霧されるようになっている。
【０００３】
吸収液噴霧管６が設けられている位置よりも下方の吸収塔１の側面には、排ガス導入ダクト８が取り付けられており、吸収液噴霧管６が設けられている位置よりも上方の吸収塔１の内部には、第１段エリミネータ９が吸収塔１の全断面にわたって設けられている。
【０００４】
第１段エリミネータ９は、断面く字形の薄板よりなり排ガス中に含まれている吸収液を除去する吸収液捕集素子１０を多数並設して構成したフィルタ状のものである。第１段エリミネータ９によって排ガスから除去された吸収液は、吸収塔１内部の下方に滴下する。
【０００５】
吸収塔１の上部側面には排ガス出口ダクト１１が取り付けられていて、排ガス出口ダクト１１は吸収塔１の外部で下方へ延ばされ、第２段エリミネータ１２を経て図示しない排出口に達している。
【０００６】
第２段エリミネータ１２は、図５に示すように前述した吸収液捕集素子１０よりも屈折数の多い断面形状の薄板よりなり排ガス中に含まれている吸収液を除去する吸収液捕集素子１３を、第１段エリミネータ９の吸収液捕集素子１０よりも密に多数並設して構成したフィルタ状のものである。第２段エリミネータ１２によって排ガスから除去された吸収液は、還流管１４を通って吸収塔１の内部に還流するようになっている。
【０００７】
上述した従来の排煙脱硫装置において、攪拌羽根４で吸収液２を攪拌すると共に吸引ポンプ５を作動させると、吸収塔１の底部に溜められている吸収液２は吸収液噴霧管６に穿設されている多数の細孔７から吸収塔１の内部に噴霧される。
【０００８】
この状態で脱硫しようとする排ガスを排ガス導入ダクト８から吸収塔１に導入すると、吸収塔１の内部を上昇する排ガスには吸収液噴霧管６から吸収液２が噴霧され、排ガス中の硫黄酸化物は吸収液２に吸収される。
【０００９】
排ガスが吸収塔１の内部をさらに上昇し、第１段エリミネータ９を通過する際には、排ガス中に含まれている吸収液２の大部分は、第１段エリミネータ９の吸収液捕集素子１０に付着して排ガスから除去される。
【００１０】
第１段エリミネータ９によって大部分の吸収液２が除去された排ガスは、吸収塔１の上部から排ガス出口ダクト１１に入り、第２段エリミネータ１２に導かれる。そして第２段エリミネータ１２を通過する際に、排ガス中に残存している吸収液２は第２段エリミネータ１２の吸収液捕集素子１３に付着して排ガスから除去され、排ガスは外部に排出される。
【００１１】
【発明が解決しようとする課題】
上述した図４に示す従来の排煙脱硫装置は、第２段エリミネータ１２が吸収塔１の外部に設けられており、排ガス出口ダクト１１が長くなって大掛かりな設備となり、周辺設備に対してスペース的に支障を与える欠点があった。
【００１２】
本発明はこのような従来の欠点を除去し、第２段エリミネータも吸収塔と一体の構成として、小さなスペースで済む排煙脱硫装置を提供することを目的とするものである。
【００１３】
【課題を解決するための手段】
本発明は、排ガスを導入して該排ガスに吸収液を噴霧することにより排ガス中の硫黄酸化物を吸収除去する吸収塔の上端に截頭円錐形部を形成し、外方端が広がり部となった排ガス出口ダクトを前記截頭円錐形部の側面に設け、前記排ガス出口ダクトの広がり部に、前記截頭円錐形部から外方端に向かう排ガスを横切る断面方向に吸収液捕集素子を並設した第１段エリミネータと、吸収液捕集素子を前記第１段エリミネータよりも密に並設した第２段エリミネータとを取り付けたことを特徴とする排煙脱硫装置に係るものであり、また、前記吸収塔の截頭円錐形部の側面に、第１段エリミネータと第２段エリミネータを有する複数の排ガス出口ダクトを設けたことを特徴とする排煙脱硫装置に係るものである。
【００１４】
【作用】
本発明では、吸収塔の上端を截頭円錐形部とし、截頭円錐形部の側面に外方端が広がり部となった排ガス出口ダクトを設け、排ガス出口ダクトの広がり部に第１段エリミネータと第２段エリミネータとを取り付けたので、第１段エリミネータおよび第２段エリミネータを通過する排ガスの流速を遅くして、第１段エリミネータおよび第２段エリミネータにより十分に吸収液を除去することができる。
【００１５】
また、吸収塔の截頭円錐形部の側面に、第１段エリミネータと第２段エリミネータを有する複数の排ガス出口ダクトを設けたので、吸収液除去効率を向上させることができる。
【００１６】
【実施例】
以下、本発明の実施例を図を参照しつつ説明する。
【００１７】
図１は本発明の一実施例の斜視図、図２は図１の平面図であって、円筒状の形状を有する吸収塔１５の上端には截頭円錐形部１６が形成されていて、截頭円錐形部１６の側面は、水平面に対して約６０°の傾斜角を持つようにされている。
【００１８】
吸収塔１５の側面には排ガス導入ダクト１７が設けられており、さらにその上方の吸収塔１５の他の側面には循環スプレー配管１８が設けてあって、循環スプレー配管１８は吸収塔１５の内部において図４に示した吸収液噴霧管６と同様な多数の細孔が穿設されている複数の吸収液噴霧管につながっている。
【００１９】
吸収塔１５の上端に形成されている截頭円錐形部１６の側面には、二方向に向けてそれぞれ排ガス出口ダクト１９が設けられている。排ガス出口ダクト１９は截頭円錐形部１６の傾斜している側面に設けてあるため、排ガス出口ダクト１９を支持する架構を特に設けなくても、排ガス出口ダクト１９の重量は截頭円錐形部１６の傾斜している側面を介して吸収塔１５で支持することができる。
【００２０】
排ガス出口ダクト１９の両側面は図２に示すように水平中心軸線に対してそれぞれ、約３０°の角度αで広がっていて、排ガス出口ダクト１９の外方端には、排ガス出口ダクト１９基端の断面積の約２倍の断面積となる広がり部２０が形成されている。
【００２１】
この排ガス出口ダクト１９の外方端に形成されている広がり部２０の内部には、截頭円錐形部１６から外方端に向かう排ガスを横切る断面方向に第１段エリミネータ２１と第２段エリミネータ２２とが取り付けられている。
【００２２】
第１段エリミネータ２１は図３に平面形状を示すように、断面く字形の薄板よりなり排ガス中に含まれている吸収液を除去する吸収液捕集素子２１ａを多数並設して構成したフィルタ状のものであり、第２段エリミネータ２２も屈折数の多い断面形状の薄板よりなり排ガス中に含まれている吸収液を除去する吸収液捕集素子２２ａを、第１段エリミネータ２１よりも密に多数並設して構成したフィルタ状のものである。
【００２３】
次に、図１、図２に示した装置の作用を説明する。
【００２４】
吸収塔１５の外部から循環スプレー配管１８に吸収液を供給すると、吸収塔１５内部の図示しない複数の吸収液噴霧管から吸収塔１５内部に吸収液が噴霧される。
【００２５】
この状態で脱硫しようとする排ガスを排ガス導入ダクト１７から吸収塔１５に導入すると、吸収塔１５の内部を上昇する排ガスには吸収液が噴霧され、排ガス中の硫黄酸化物は吸収液に吸収される。
【００２６】
硫黄酸化物の除去された排ガスは吸収塔１５の内部を上昇した後、吸収塔１５の上端に形成されている截頭円錐形部１６から水平に向きを変え、排ガス出口ダクト１９内を外方端の広がり部２０の方に向かって流れるようになる。
【００２７】
広がり部２０の断面積は、排ガス出口ダクト１９基端の断面積の約２倍の断面積となっているため、排ガスが例えば秒速１２ｍの流速で排ガス出口ダクト１９基端に流入したとすると、広がり部２０に達する時の排ガスの流速は、半分の秒速６ｍの流速になる。
【００２８】
このように排ガスは遅い流速になって広がり部２０に入り、第１段エリミネータ２１を通過する際に排ガス中に含まれている吸収液の大部分は、第１段エリミネータ２１の吸収液捕集素子２１ａに付着して排ガスから除去される。
【００２９】
第１段エリミネータ２１によって大部分の吸収液が除去された排ガスは続いて第２段エリミネータ２２を通過することになり、残存している吸収液は密に並設されている第２段エリミネータ２２の吸収液捕集素子２２ａに付着して排ガスから除去され、排ガスは外部に排出される。
【００３０】
【発明の効果】
請求項１の発明では、吸収塔の上端を截頭円錐形部とし、截頭円錐形部の側面に外方端が広がり部となった排ガス出口ダクトを設け、排ガス出口ダクトの広がり部に第１段エリミネータと第２段エリミネータとを取り付けたので、第１段エリミネータおよび第２段エリミネータを通過する排ガスの流速を遅くして、第１段エリミネータおよび第２段エリミネータにより十分に吸収液を除去できる効果がある。
【００３１】
また、吸収塔の截頭円錐形部の側面に、第１段エリミネータと第２段エリミネータを有する複数の排ガス出口ダクトを設けたので、吸収液除去効率を向上できる効果がある。
【図面の簡単な説明】
【図１】本発明の一実施例の斜視図である。
【図２】図１の平面図である。
【図３】図１の広がり部の部分切断平面図である。
【図４】従来装置の縦断面図である。
【図５】図４のＶ−Ｖ矢視図である。
【符号の説明】
１５    吸収塔
１６    截頭円錐形部
１９    排ガス出口ダクト
２０    広がり部
２１    第１段エリミネータ
２１ａ  吸収液捕集素子
２２    第２段エリミネータ
２２ａ  吸収液捕集素子
【図１】
0003550754.tif 000002
【図２】
0003550754.tif 000003
【図３】
0003550754.tif 000004
【図４】
0003550754.tif 000005
【図５】
0003550754.tif 000006